(57)【要約】【課題】パレット上に複数枚載置された平版印刷版を一枚毎に給版を行う自動給版機構を有する自動製版機において、版材間の密着による多重給版を予防し、かつパレット上の平版印刷版の位置ずれを簡便に抑制し、給版に関する不具合の発生を抑制して長期間安定な製版を可能とすることである。【解決手段】側面が面取処理された平版印刷版をパレット上に複数枚載置し、一枚毎に給版を行う自動給版機構を有する自動製版機であって、パレット上に複数枚載置された平版印刷版の面取処理された側面に向けて圧縮空気を吹き付けるエアブロー手段を有することを特徴とする自動給版機構を有する自動製版機を用いた平版印刷版の給版方法。【選択図】図１
2008180868.tif 000002
【特許請求の範囲】
【請求項１】
側面が面取処理された平版印刷版をパレット上に複数枚載置し、一枚毎に給版を行う自動給版機構を有する自動製版機における平版印刷版の給版方法であって、パレット上に複数枚載置された平版印刷版の面取処理された側面に向けてエアブロー手段により圧縮空気を吹き付けることを特徴とする平版印刷版の給版方法。
【請求項２】
前記平版印刷版の給版方法において、前記自動給版機構がパレット上の平版印刷版の残り枚数に従って相対的に上下移動する自動給版機構であり、該エアブロー手段が該自動給版機構の上下移動に同期して上下移動するエアブロー手段であって、さらにパレット上に複数枚積載された最上部付近の複数枚平版印刷版の位置を規制することを特徴とする請求項１記載の平版印刷版の給版方法。
【請求項３】
前記平版印刷版が、レーザー光により画像形成を行う画像形成層を有し、かつ実質的に明室取り扱い性を有する平版印刷版であり、版間に合紙を介さずにパレット上に複数枚積載されていることを特徴とする請求項１または２記載の平版印刷版の給版方法。
【発明の詳細な説明】
【技術分野】
【０００１】
本発明は自動給版機構を有する自動製版機を用いた平版印刷版の給版方法、特にレーザー光で画像形成を行うレーザーダイレクト製版用平版印刷版（以下ＣＴＰ印刷版と記載する）であって、版間に合紙を有さず複数枚積載されている平版印刷版の自動給版を行う自動製版機における平版印刷版の給版方法に関する。
【背景技術】
【０００２】
近年、紫外、可視、赤外などの各種レーザーを用いたダイレクト製版システムが実用化され、広く普及している。このダイレクト製版システムはシステムをデジタル化する事によってスピード、コスト、安定性などの面で従来のフィルムを用いた製版システムに比べて有利であり、製版方法として主流となりつつある。
【０００３】
このダイレクト製版システムは、これらの利点から新聞印刷にも広く浸透しつつある。新聞印刷ではピーク時の製版枚数が多く、このことで製版システムにはより効率よく、より早く製版処理できる全自動の製版機が求められている。これらの要望から従来からのフィルム密着露光によるＰＳ版の自動製版機には予め複数、例えば５００枚を専用の積載台に積み上げて、版材メーカーから出荷され、遮光及び防湿、防塵のための包装を開梱してそのまま自動製版機にセットするようになっている。自動製版機では、最上部のＰＳ版から、真空吸着パットを用いて一枚毎に持ち上げ、次工程に給版するようになっている。またこれらに用いられるＰＳ版には、一枚毎の合紙除去の時間及び製版機内に蓄積された合紙廃棄の手間の面から非効率となるので、版面保護のための合紙を適用されていない。このことにより、製版ピーク時にも効率的な製版が可能であり、非ピーク時に印刷版の補給を余裕を持って成し得ている。ユーザからは、これらの効率的な自動製版機の機構はＣＴＰ印刷版になっても引き続き継承することが強く要望されている。
【０００４】
ところで、これまでのＰＳ版を用いた製版システムでは水銀ランプなどの非常に高いエネルギーを持つ光源で長時間、密着露光を行う事により感光層の架橋反応を起こすものであり、ＰＳ版の感度は低いレベルのものであった。レーザーダイレクト製版システムではそれに比べて低い露光エネルギーで露光処理を行うため、用いられる平版印刷版はより高感度化される。これらに用いられるＣＴＰ印刷版としては様々な提案がなされている。
【０００５】
例えば特開平７−２０６２９号公報に記載の感光性材料はレゾール樹脂、ノボラック樹脂および潜伏性ブロンステッド酸、赤外吸収剤を含む事を特徴とし、ポジ版にもネガ版にも利用出来る平版印刷版について記載されている。また、特開２０００−０８９４５２号公報には架橋性を有する化合物が独自の構造であり、バインダーがヒドロキシ基またはアルコキシ基が直接結合した芳香族炭化水素環を側鎖又は主鎖に有するポリマーで、かつ熱により酸を発生する化合物と赤外線吸収剤を含むネガ型画像記録材料について記載されている。また、特開２００１−２７２７７８号公報にはボレート錯塩とトリハロアルキル置換化合物および近赤外光から赤外光領域の波長範囲において吸収を有する増感色素を併せて含むことを特徴とした感光材料について記載されている。
【０００６】
しかしながらこれら高感度なＣＴＰ印刷版では上記自動製版機において、いくつかの問題が生じていた。従来からのＰＳ版、例えば新聞印刷に用いられるネガ型ＰＳ版では光硬化型のフォトポリマーがバインダー樹脂を兼ねほぼ単体で形成されていたが、新聞印刷に求められる高速描画かつ高耐刷性を有する高感度なＣＴＰ印刷版では、上述のように、バインダーとしての樹脂の他に、潜伏性ブレンステッド酸、赤外線吸収剤、酸発生剤、ラジカル発生剤、増感色素等をＣＴＰ印刷版樹脂層中に添加する必要があり、バインダー樹脂以外の固形物が多種類存在するようになっている。このためバインダー樹脂単体の構成に比べ、支持体上に膜として形成した場合に稠密性が低下することとなり、結果として耐傷性が低下することになる。
【０００７】
これらの問題に対応するために、自動給版を行う自動製版機に供給する際には、版間に合紙を入れることが、版間分離性や傷付き防止に有効な方法として採用されて来た。しかし、版間に合紙を入れることは更なる高速化に対する要望に相反し、合紙除去のための製版効率が低下する問題や地球環境に配慮した廃棄物の削減の意味から昨今以前にも増して版間に合紙を挟まず複数枚積載することが強く求められている。
【０００８】
合紙を挟まず多数枚積載して供給する場合の問題点としては、版面への傷付き易さ及びその傷による製版への影響が大きいことや、版間密着が強く特に経時により版間分離がうまくいかず多重給版が発生することなどが挙げられる。多重給版が発生すれば、持ち上げられた平版印刷版の直下の版が移動途中で外れた場合など、給版機構の一部でジャムを発生させたり、印刷版の端面に折れ、曲がりなど損傷を与え、製版に支障を及ぼしていた。
【０００９】
これら問題を解消するために、ＣＴＰ印刷版表面にマット剤を付与することや自動製版機で版間分離をより促進する手段を付設すること、例えば圧縮空気を版間に吹き付けることや、印刷版を持ち上げる際に分離部材を版面に接触させるなど種々提案がなされている（特許文献１〜４）。
【００１０】
一方で、昨今、労働者の作業環境条件の改善が推進されており、安全で過ごしやすい環境とするため、明室取り扱い性をより向上させる要望も強くなってきている。このため上述の高感度化のための添加剤に加えて、可視光領域を非感光化するための光吸収剤の添加が提案されている（特許文献５）。
【００１１】
可視光領域の光吸収剤の添加は明室取り扱い性の向上には有効な方法ではあるが、感光層中のバインダー樹脂以外の成分の増加となり、耐傷性には不利に作用する場合が多い。また可視光領域の光吸収剤の添加する方法では、光吸収剤の吸収波長が露光するレーザーの波長領域に少しでも及ぶ場合には感度の低下を伴うこととなり、感度を補うため更に架橋剤成分や増感色素の増量が必要となり、さらに耐傷性へ悪影響する恐れがある。このため、上述の特許文献１〜４の方法を適用してもその効果は十分に得られない場合があった。特に圧縮空気を版間に吹き付ける方法では、吹き付ける空気圧を高めることで版間分離性を高めることは可能であるが、持ち上げられた平版印刷版の直下の複数の版間に過剰の空気が流入し、積み上げられた位置からのズレの発生頻度が上昇する恐れがあった。位置ズレの場合には、正常な給版が成し得ず、給版機構の一部でジャムを発生させたり、印刷版の端面に折れ、曲がりなど損傷を与え、製版に支障を及ぼしていた。また空気圧が高くなることで風切り音が大きくなり、騒音として作業環境の悪化が懸念される。
【００１２】
従って、より版間分離性が高く、また同時に吹き込まれた空気のために位置ズレを起こさない自動給版機構の開発は急務となっている。
【特許文献１】特開平０６−４０５７７号公報
【特許文献２】特開平０９−８０７５９号公報
【特許文献３】特開２００２−２８７３７３号公報
【特許文献４】特開２００４−１４２９０１号公報
【特許文献５】特開２００３−２３３１９２号公報
【発明の開示】
【発明が解決しようとする課題】
【００１３】
上記問題を鑑み本発明の課題は、パレット上に複数枚載置された平版印刷版を一枚毎に給版を行う自動給版機構を有する自動製版機において、版材間の密着による多重給版を予防し、かつパレット上の平版印刷版の位置ずれを簡便に抑制し、給版に関する不具合の発生を抑制して長期間安定な製版を可能とすることである。
【課題を解決するための手段】
【００１４】
本発明の上記目的は以下に記載の自動給版機構を有する自動製版機によって達成できることを見いだした。
１．側面が面取処理された平版印刷版をパレット上に複数枚載置し、一枚毎に給版を行う自動給版機構を有する自動製版機における平版印刷版の給版方法であって、パレット上に複数枚載置された平版印刷版の面取処理された側面に向けてエアブロー手段により圧縮空気を吹き付ける平版印刷版の給版方法。
２．前記平版印刷版の給版方法において、前記自動給版機構がパレット上の平版印刷版の残り枚数に従って相対的に上下移動する自動給版機構であり、該エアブロー手段が該自動給版機構の上下移動に同期して上下移動するエアブロー手段であって、さらにパレット上に複数枚積載された最上部付近の複数枚平版印刷版の位置を規制する前記１記載の平版印刷版の給版方法。
３．前記平版印刷版が、レーザー光により画像形成を行う画像形成層を有し、かつ実質的に明室取り扱い性を有する平版印刷版であり、版間に合紙を介さずにパレット上に複数枚積載されている前記１または２記載の平版印刷版の給版方法。
【発明の効果】
【００１５】
本発明により、パレット上に複数枚載置された平版印刷版を一枚毎に、自動給版機構を有する自動製版機において、版間分離を促進する圧縮空気の吹き込み手段を有効に作用させ、かつ吹き込まれた圧縮空気によりパレット上の最上部付近の平版印刷版が位置ずれすることを簡便に防止することができ、給版に関する不具合の発生を抑制可能となり、長期間安定した製版の実施及び生産性の向上やコストダウンに秀逸な効果を得ることができる。
【発明を実施するための最良の形態】
【００１６】
本発明者が鋭意検討した結果、上記課題に対してパレット上に複数枚載置された平版印刷版の面取処理された側面に向けて圧縮空気を吹き付けるエアブロー手段を有することを特徴とする自動給版機構を有することが有用である事が明らかになった。
【００１７】
以下に本発明における自動製版機の一例について図１、２を用いて説明する。図１、２それぞれは本発明の一例を示す自動製版機の概略側面視図であり、図１は新聞用平版印刷版の短辺側から、図２は新聞用平版印刷版の長辺側から表した概略側面視図である。図１、２において、平版印刷版２が感光層面を上側にして版間に合紙を含まず複数枚積載されているパレット１が自動製版機の所定位置に装填されている。パレット１の上部に平版印刷版２を一枚毎に吸着して搬送するピックアップ手段３があり、ピックアップ手段３はフレーム３１、フレーム上下動機構３２、吸着パット３３、エアブロー手段３４、位置規制手段１１、制御部３５から構成されている。
【００１８】
給版動作は、ピックアップ手段３が上方所定位置（図中Ａ）からピックアップ位置（図中Ｂ）まで下降し、吸着パット３３が平版印刷版２に接触し、真空吸着を開始する。吸着パット３３の内、最外部のパット組（図中３３１、３３２）のみが上昇、下降を複数回実施し、版間分離動作を開始する。このときにエアブロー手段３４の吐出口３４１から圧縮空気が積載された平版印刷版２の長辺側側面に向けて噴出され、版間に空気を流入させて版間分離を促進するようになっている。その後ピックアップ手段３はフレーム上下動機構３２により上昇し上方所定位置に移動する。このときにピックアップされた平版印刷版２の下に位置する平版印刷版が一部密着しピックアップ手段３上昇時に分離し落下する場合にも、位置規制手段１１により、平版印刷版２は給版後支障を与えないズレ許容範囲を逸脱することなく、次給版時にも正規の位置で給版される。上方所定位置移動後は、図示しない水平搬送機構にピックアップした平版印刷版２を受け渡すようになっている。
【００１９】
パレット１には通常５００枚積載されており、ピックアップ手段３が吸着パット３３が平版印刷版２に接触する位置まで、図示しないセンサーにより位置検知することにより下降するようになっている。版数が減少するとそれに伴いピックアップ手段３の下降量が多くなる。
【００２０】
本発明における面取処理について説明する。一般に新聞印刷では印刷版の交換頻度が高いため、一つの版胴上に複数の印刷版を並べ、必要に応じて印刷版を交換しながら印刷を行われる。ところが一つの版胴上に複数の印刷版を並べて印刷を行った場合、印刷版の裁断面にインキが乗る事で隣り合った印刷版の境目が印刷物紙面上に直線状に現れ、所謂額縁汚れと呼ばれる印刷故障となる。この印刷故障を防ぐため、新聞印刷に用いられる平版印刷版は製造工程において平版印刷版に面取処理が一般的に行われる。従って、上記理由から面取処理されるのは平版印刷版の長辺側となる。
【００２１】
本発明で言う面取処理とは平版印刷版の端面を面取りする加工の事であり、平版印刷版をフライングシャー、ロータリーシャー、ギロチンなどの裁断仕上げ機械によって必要なサイズにカッティングする際、刃のクリアランスの調整等により、感光層が塗布されている面の端部を斜め直線状もしくは曲率を持たせながら削り落とす事を意味する。図３に面取処理された平版印刷版の断面概略図、図４に面取処理された長辺側の平版印刷版の積載状態の断面概略図、図５に面取処理されない短辺側の平版印刷版の積載状態の断面概略図を示す。図３中のｂは平版印刷版の支持体を示し、ａは感光層を示す。また、ｃは面取処理により形成された側面部を示す。さらに、Ａは面取処理により削除された部分の支持体端面からの水平方向長さを表しており、Ｂは同じく面取処理により削除された部分の感光層表面からの垂直方向長さを表す。ＡとＢの値はそれぞれ特に限定される事は無いが、５０μｍから２００μｍであることが一般的である。
【００２２】
上述のように、本発明ではエアブロー手段３４から圧縮空気が積載された平版印刷版２の長辺側側面に向けて噴出され、版間に空気を流入させて版間分離を促進させるようになっている。図４から判るように、平版印刷版が積載されている状態でも図５の面取処理されていない短辺側の積載状態と比べ、上下の平版印刷版の間に面取による隙間が生じており、エアブロー手段３４からの圧縮空気の導入が行われやすく、その分吹き付ける圧縮空気も低圧もしくは低風量で効率よく版間分離が行える。このため、過剰な圧縮空気の吹き付けを行わないので、ピックアップされた平版印刷版の下に位置する積載された平版印刷版に対してずれが起こりにくいようになる。
【００２３】
本発明におけるエアブロー手段３４について説明する。エアブロー手段としては、図示しないエアコンプレッサー等の圧縮空気供給源から耐圧フレキシブルホース等で配管され、吐出／停止動作を制御する電磁弁及び吐出圧力を調整する減圧弁、吐出量を調整する流量弁がそれぞれ必要に応じて配管中に接続され、最終的にノズル状に加工された吐出口に至る構成である。吐出口は出来るだけ吹き付ける圧縮空気が絞れ、部分的に集中して吐出出来る形状が流速も速くなり高効率となるため好ましく、直径０．５〜１０ｍｍの真円状もしくは楕円状、及び長円状の吐出口を有する先端ノズル形状が好ましい。このようにして絞られた圧縮空気が積載された平版印刷版の最上部とその下数枚程度に向けて集中的に吹き付けられるように、吐出口が取り付け位置及び吐出方向が自在となるように取り付けられることが好ましい。またエアブロー手段３４からの吐出圧としては、高いとパレット上に積載された平版印刷版の位置ズレの原因や騒音の原因ともなるので出来るだけ低い吐出圧で有効に作用するように、使用する自動製版機及び平版印刷版で確認、設定することが好ましく、０．１〜１ＭＰａの範囲であれば好適に用いられる。更に好ましくは０．１５〜０．３ＭＰａの範囲である。
【００２４】
また、圧縮空気の吐出タイミングとしては、ピックアップ手段３が下降し、吸着パッド３３が最上版に接触してから、吸着後ピックアップ手段３が上昇するまでが好ましい。
【００２５】
本発明の位置規制手段１１について説明する。位置規制手段１１としては、平版印刷版の水平方向の移動を押さえるものであり、パレット上の積載位置から許容範囲内に規制出来る物であれば材質は金属、プラスチックなど特に指定されない。そのズレ許容幅は自動製版機の構成に応じて適宜決められる。また図１及び図２に示す本例のように、ピックアップ手段３のフレーム１１に取り付けることで、ピックアップ手段３の上下動作に従って規制ができるため好ましいが、別途、パレット上に棒状の規制治具として設置することや、自動製版機本体のフレームに設置して規制するようにしても構わない。
【００２６】
次に本発明に使用される平版印刷版２について説明する。新聞印刷用に供される長辺側側面が面取処理されたＰＳ版あるいは同様に面取処理されたレーザー光によりダイレクトに画像イメージを描画し、潜像もしくは画像形成がなされるＣＴＰ印刷版であれば使用可能であり、ネガタイプ、ポジタイプ共に適用可能である。特に新聞市場で良く用いられている発振波長が８３０ｎｍの半導体レーザーを用いた１時間あたりの製版枚数が６０版以上の高速処理が可能な露光装置において露光エネルギーとして１２０ｍＪ／ｃｍ2以下で画像形成可能な高速描画対応の高感度タイプのＣＴＰ印刷版であればより有効に使用できる。また、最上層として例えば酸素遮断性であるポリビニルアルコール樹脂やポリビニルピロリドン樹脂を主体とした保護層を有するものも支障無く使用出来る。
【００２７】
また、上述のＣＴＰ印刷版の中でも実質的に明室取り扱い性を有するものは好適に使用出来る。本発明における明室取り扱い性とは、市販のＪＩＳ  Ｃ  ７６０１に規定される白色蛍光灯を点灯し、版面における照度が１０００ｌｘ以下となる作業環境で通常の取り扱いを行い、製版、印刷性能に実質的な影響を与えないことを言う。明室取り扱い性を有するものは、可視光領域に吸収を持たないものや、例えば特開２００３−２３３１９２号公報、特開２００４−３０２２０６号公報に記載される４００〜８００ｎｍの可視光領域に吸収を有する色素類を一つ以上含有したものなどが挙げられる。
【００２８】
このようなＣＴＰ印刷版としては、特開平７−２０６２９号公報、特開２０００−０８９４５２号公報、特開２００１−２７２７７８号公報等に記載されるものや、銀塩ＤＴＲ方式のもの、有機半導体を用いた電子写真現像方式のものも用いることが出来る。
【実施例１】
【００２９】
以下実施例により本発明をさらに詳しく説明するが、効果はもとより本発明はこれら実施例に限定されるものではない。
【００３０】
以下に本発明における自動製版機の一例について図１、２を用いて説明する。図１、２それぞれは本発明の一例を示す自動製版機の概略側面視図であり、図１は新聞用平版印刷版の短辺側から、図２は新聞用平版印刷版の長辺側から表した概略側面視図である。図１、２において、平版印刷版２が感光層面を上側にして版間に合紙を含まず複数枚積載されているパレット１が自動製版機の所定位置に装填されている。パレット１の上部に平版印刷版２を一枚毎に吸着して搬送するピックアップ手段３があり、ピックアップ手段３はフレーム３１、フレーム上下動機構３２、吸着パット３３、エアブロー手段３４、位置規制手段１１、制御部３５から構成されている。
【００３１】
給版動作は、ピックアップ手段３が上方所定位置（図中Ａ）からピックアップ位置（図中Ｂ）まで下降し、吸着パット３３が平版印刷版２に接触し、真空吸着を開始する。吸着パット３３の内、最外部のパット組（図１中３３１、３３２）のみが上昇、下降を複数回実施し、版間分離動作を開始する。このときにエアブロー手段３４の吐出口３４１から圧縮空気が積載された平版印刷版２の長辺側側面に向けて吐出圧０．２５ＭＰａで噴出され、版間に空気を流入させて版間分離を促進するようになっている。その後ピックアップ手段３はフレーム上下動機構３２により上昇し上方所定位置に移動する。このときにピックアップされた平版印刷版２の下に位置する平版印刷版が一部密着しピックアップ手段３上昇時に分離し落下する場合にも、位置規制手段１１により、平版印刷版２は給版後支障を与えないズレ許容範囲を逸脱することなく、次給版時にも正規の位置で給版される。上方所定位置移動後は、図示しない露光部に搬送するための水平搬送機構にピックアップした平版印刷版２を受け渡すようになっている。
【００３２】
パレット１には、プラスチック製の版材積載部１２上に、平版印刷版２として市販の、長辺側側面が面取処理され、８３０ｎｍの半導体レーザーによる露光において、露光エネルギー１２０ｍＪ／ｃｍ2以下で画像形成可能な新聞用ＣＴＰ印刷版（三菱製紙製ＰＤ−Ｎews）が５００枚積載されている。ピックアップ手段３が吸着パット３３が平版印刷版２に接触する位置まで、図示しないセンサーにより位置検知することにより下降するようになっている。版数が減少するとそれに伴いピックアップ手段３の下降量が多くなるようになっている。
【００３３】
エアブロー手段３４は、図示しない電動式エアコンプレッサーである圧縮空気供給源から耐圧フレキシブルホースにて、ピックアップ手段３上に配置された図示しない吐出／停止動作を制御する電磁弁及び吐出圧力を調整する減圧弁、吐出量を調整する流量弁が配管中に接続されており、幅２０ｍｍ、高さ１ｍｍのスリットからなるステンレス製の吐出口３４１に至る構成になっている。また吐出口３４１はピックアップ手段３上から保持具を兼ねたステンレス製のパイプ３４２に吐出口３４１の吹き出し方向が上下左右可動となるジョイント３４３を介して接続されており、積載された状態の平版印刷版２に向けて吹き出し位置が最適となるように微調整可能となっている。
【００３４】
位置規制手段１１としては、ピックアップ手段３に取り付けられたナイロン樹脂製のロッド（直径８ｍｍ、長さ８０ｍｍ）で、平版印刷版２の四隅に長辺側及び短辺側に向けそれぞれ設置されており、積載位置から見て水平方向左右前後１０ｍｍの範囲内に位置規制されるようになっている。
【００３５】
上述のように、本発明ではエアブロー手段３４から圧縮空気が積載された平版印刷版２の長辺側側面に向けて噴出され、版間に空気を流入させて版間分離を促進させるようになっている。図４から判るように、平版印刷版が積載されている状態でも図５の面取処理されていない短辺側の積載状態と比べ、上下の平版印刷版の間に面取による隙間が生じており、エアブロー手段３４からの圧縮空気の導入が行われやすく、その分吹き付ける圧縮空気も低圧もしくは低風量で効率よく版間分離が行える。このため、過剰な圧縮空気の吹き付けないので、ピックアップされた平版印刷版の下に位置する積載された平版印刷版に対してずれが起こりにくいようになっている。
【００３６】
上記の自動製版機を用いて、版面での照度が１０００ｌｘ以下となるように白色蛍光灯（ＦＬ４０ＳＷ  三菱オスラム社製）を点灯させた室内にて、平版印刷版２として市販の、長辺側側面が面取処理され、８３０ｎｍの半導体レーザーによる露光において、露光エネルギー１２０ｍＪ／ｃｍ2以下で画像形成可能な新聞用ＣＴＰ印刷版（三菱製紙製ＰＤ−Ｎews）が５００枚積載されたパレット１を開梱、装填した後に、５００枚連続して自動製版処理（露光エネルギーは１００ｍＪ／ｃｍ2に設定）を実施したが、版間分離性は良好で一度も平版印刷版２のズレに伴う上下の版の擦れ合い発生するスリ傷の発生はなく良好な製版物が得られ、印刷も良好に実施できた。
【実施例２】
【００３７】
さらに、前記ＣＴＰ印刷版を５００枚積載した状態のパレット１を温度５０℃の環境下で１週間保管したものを用いて、上記同様に自動製版を実施したが、版間分離性は良好で一度も平版印刷版２のズレに伴う上下の版の擦れ合い発生するスリ傷の発生は見られなかった。
【００３８】
比較例１
一方、比較として、エアブロー手段３４を、その吹き出し位置が積載された平版印刷版２の短辺側に向くように取り付けた他は実施例２と同様に５００枚連続処理を実施したところ、５００枚中、１０回の多重給版が発生した。このためエアブロー手段３４の吐出圧を０．６ＭＰａとし再度実施したところ、５００枚中、多重給版の発生は見られなかったが、版側面と吹き付けられた圧縮空気により不快な風切り音が大きく、作業環境が悪化した。
【００３９】
比較例２
さらに、上記自動製版機から位置規制手段１１を全て外し、エアブロー手段３４の吐出圧を０．６ＭＰａに設定した他は比較例１と同様に５００枚連続処理を実施したところ、５００枚中、数回の位置ズレがあり、製版された平版印刷版２の表面に上下の版が擦れ合い発生したスリ傷が複数確認され、印刷物にも同様に反映された。
【産業上の利用可能性】
【００４０】
本発明の活用例として、ダイレクト製版が可能であり、かつ、パレット上に複数枚載置された平版印刷版を一枚毎に給版を行う自動給版機構を有する自動製版機に用いることで、多重給版を抑制すると共に、パレット上の平版印刷版の位置ずれを簡便に防止し、給版に関する不具合の発生を抑制することが出来、長期に亘って安定で生産性の高い製版を実施することが可能となる。
【図面の簡単な説明】
【００４１】
【図１】本発明の一例を示す自動製版機の概略側面視図である。
【図２】本発明の一例を示す自動製版機の概略側面視図である。
【図３】面取処理された平版印刷版の断面概略図である。
【図４】面取処理された長辺側の平版印刷版の積載状態の断面概略図である。
【図５】面取処理されない短辺側の平版印刷版の積載状態の断面概略図である。
【符号の説明】
【００４２】
１  パレット
１１  位置規制手段
１２  版材積載部
２  平版印刷版
３  ピックアップ手段
３１  フレーム
３２  フレーム上下動機構
３３  吸着パット
３３１、３３２    最外部の吸着パット組
３４  エアブロー手段
３４１  吐出口
３４２  パイプ
３４３  ジョイント
３５  制御部
【図１】
2008180868.tif 000003
【図２】
2008180868.tif 000004
【図３】
2008180868.tif 000005
【図４】
2008180868.tif 000006
【図５】
2008180868.tif 000007